(57)【要約】【課題】上下の棚板間に、商品の収納空間を、容易かつ安価に形成しうるようにする。【解決手段】互いに隣接する上下の棚板７、１０間の左右の支柱４に、前端に上下方向を向くストッパ片１３ｅを有する正面視コ字状断面の１対のガイドレール１３を、前向きに取付け、両ガイドレール１３に、塞ぎ板１６の後部下面の両側部に設けた前後２個のローラ１９を、前後方向に移動可能かつ前側のローラ１９がストッパ片１３ｅと当接したとき、後側のローラ１９がガイドレール１３の上部水平片１３ｄに設けた切欠き１４を挿通して上方に突出しうるように嵌合し、両ローラ１９がガイドレール１３の後端部に位置しているとき、塞ぎ板１６が水平をなして上下の棚板７、１０間を開放し、かつ前側のローラ１９がストッパ片１３ｅと当接したとき、該前側のローラ１９を中心にとして塞ぎ板１６を下向きに回動させることにより、上下の棚板７、１０間の前端部を閉塞しうるようにする。【選択図】        図１
2004202138.tif 000002
【特許請求の範囲】
【請求項１】
左右１対の支柱の前面に、上下複数段の棚板を、前方に向けて高さ調節可能に取付けてなる商品陳列什器において、前記互いに隣接する上下いずれかの棚板間の左右の支柱に、前端に上下方向を向くストッパを有する正面視コ字状断面の１対のガイドレールを、上下位置調節可能として前向きに取付け、両ガイドレールに、前記上下の棚板間の前端部を閉塞可能な大きさの塞ぎ板の後部下面の両側部に設けた前後２個の支持部材を、前後方向に移動可能かつ前側の支持部材が前記ストッパと当接したとき、後側の支持部材がガイドレールの上部水平片に設けた切欠きを挿通して上方に突出しうるように嵌合し、前記両支持部材が前記ガイドレールの後端部に位置しているとき、前記塞ぎ板が水平をなして上下の棚板間を開放し、かつ前側の支持部材が前記ストッパと当接したとき、該前側の支持部材を中心にとして塞ぎ板を下向きに回動させることにより、上下の棚板間の前端部を閉塞しうるようにしたことを特徴とする商品陳列什器。
【請求項２】
両支柱の前面に、上下方向に並ぶ左右複数列の係合孔を多数設け、左右等高をなす複数列の係合孔に、前方を向く支持杆を、その後端に設けた上下複数の係止爪を係止させることにより取付け、両支持杆の対向面に、ガイドレールを取付けてなる請求項１記載の商品陳列什器。
【請求項３】
ガイドレールの上部水平片の後端部に、前後の支持部材が上下に挿通可能な切欠きを設けた請求項１または２記載の商品陳列什器。
【請求項４】
前後の支持部材を、塞ぎ板の下面に取付けたブラケットに、左右方向を向く軸回りに回転するように枢着されたローラとしてなる請求項１〜３のいずれかに記載の商品陳列什器。
【請求項５】
ガイドレール及びそれにより支持された塞ぎ板を、最下段のベース棚板とその上方の棚板との間において、支柱に設けるとともに、塞ぎ板を下向きに回動させて、ベース棚板とその上方の棚板間の前端部を閉塞したとき、塞ぎ板が、その下部後面がベース棚板の前端と当接して後傾するようにした請求項１〜４のいずれかに記載の商品陳列什器。
【請求項６】
塞ぎ板を閉塞位置としたとき、該塞ぎ板、上下の棚板及び支柱により囲まれて形成される側端開口面を、カバー板により閉塞してなる請求項１〜５のいずれかに記載の商品陳列什器。
【発明の詳細な説明】
【０００１】
【発明の属する技術分野】
本発明は、左右の支柱の前方に、複数段の棚板を取付けてなる商品陳列什器、特に、上下に隣接する棚板間に、商品保管用の収納空間を形成しうるようにした商品陳列什棚に関する。
【０００２】
【従来の技術】
店舗等において使用される陳列棚等の商品陳列什器の中には、陳列商品が品切れになるなどした際の商品補充を効率的に行いうるように、陳列棚の下部に、商品保管箱を出し入れ自在に設けたものがある（例えば特許文献１参照）。
【０００３】
また、上下複数段の互いに隣接する棚板間に、前扉を、棚板間の前面開口部を覆う使用位置と、棚板間に収納される不使用位置との間を回動しうるように設け、使用位置としたとき、その後方の棚板間を収納空間として使用しうるようにした商品陳列什器（キャビネット）もある（例えば特許文献２参照）。
【０００４】
【特許文献１】
特開平１１−１８７９５９号公報
【特許文献２】
実公平１−２７７０８号公報
【０００５】
【発明が解決しようとする課題】
上記特許文献１に記載されている従来の商品陳列棚では、その下端部に、ストッカである商品保管箱を、出し入れ自在に設けてあるため、専用の商品保管箱を製作するか、商品陳列棚を、商品保管箱を出し入れ可能なものに設計変更しなければならず、コスト高となる問題がある。
【０００６】
一方、特許文献２に記載されたキャビネットでは、前扉を棚板間に収納した不使用状態において、前扉は、前下方に傾斜しているため、前扉を棚板として利用することは難しい。
【０００７】
また、前扉をローラを介して摺動可能に案内するレールが、上下に隣接する棚板における上位側の棚板の下面より垂下させた棚受板の対向面に設けられており、棚板の上下位置を調節すると、レールの高さも変わってしまうため、棚板と前扉との上下位置を別々に調節できないという不便さがある。
【０００８】
本発明は、上記問題点に鑑みてなされたもので、通常の陳列棚の構造を大幅に変更せずに、商品保管用の収納空間を容易かつ安価に形成しうるとともに、不使用時に塞ぎ板を水平として、商品を載置しうるようにし、かつ棚板や塞ぎ板の高さ調節を単独で行いうるようにした、商品陳列什器を提供することを目的としている。
【０００９】
【課題を解決するための手段】
本発明によると、上記課題は、次のようにして解決される。
（１）左右１対の支柱の前面に、上下複数段の棚板を、前方に向けて高さ調節可能に取付けてなる商品陳列什器において、前記互いに隣接する上下いずれかの棚板間の左右の支柱に、前端に上下方向を向くストッパを有する正面視コ字状断面の１対のガイドレールを、上下位置調節可能として前向きに取付け、両ガイドレールに、前記上下の棚板間の前端部を閉塞可能な大きさの塞ぎ板の後部下面の両側部に設けた前後２個の支持部材を、前後方向に移動可能かつ前側の支持部材が前記ストッパと当接したとき、後側の支持部材がガイドレールの上部水平片に設けた切欠きを挿通して上方に突出しうるように嵌合し、前記両支持部材が前記ガイドレールの後端部に位置しているとき、前記塞ぎ板が水平をなして上下の棚板間を開放し、かつ前側の支持部材が前記ストッパと当接したとき、該前側の支持部材を中心にとして塞ぎ板を下向きに回動させることにより、上下の棚板間の前端部を閉塞しうるようにする。
【００１０】
（２）上記(１))項において、両支柱の前面に、上下方向に並ぶ左右複数列の係合孔を多数設け、左右等高をなす複数列の係合孔に、前方を向く支持杆を、その後端に設けた上下複数の係止爪を係止させることにより取付け、両支持杆の対向面に、ガイドレールを取付ける。
【００１１】
（３）上記(１)または(２)項において、ガイドレールの上部水平片の後端部に、前後の支持部材が上下に挿通可能な切欠きを設ける。
【００１２】
（４）上記(１)〜(３)項のいずれかにおいて、前後の支持部材を、塞ぎ板の下面に取付けたブラケットに、左右方向を向く軸回りに回転するように枢着されたローラとする。
【００１３】
（５）上記(１)〜(４)項のいずれかにおいて、ガイドレール及びそれにより支持された塞ぎ板を、最下段のベース棚板とその上方の棚板との間において、支柱に設けるとともに、塞ぎ板を下向きに回動させて、ベース棚板とその上方の棚板間の前端部を閉塞したとき、塞ぎ板が、その下部後面がベース棚板の前端と当接して後傾するようにする。
【００１４】
（６）上記(１)〜(５)項のいずれかにおいて、塞ぎ板を閉塞位置としたとき、該塞ぎ板、上下の棚板及び支柱により囲まれて形成される側端開口面を、カバー板により閉塞する。
【００１５】
【発明の実施の形態】
以下、本発明の実施形態を、図面に基づいて説明する。
図１は、本発明の商品陳列什器である商品陳列棚の側面図、図２は、図１のII−II線の拡大縦断正面図である。
【００１６】
商品陳列棚(１)は、前後両端部（以下、方向は図１の右方を前として説明する）にアジャスタ(２)(２)を有する左右１対の前方を向くベース脚(３)(３)と、その後端上面に立設された左右１対の支柱(４)(４)とを備え、両支柱(４)の上端部同士は、横連結杆(５)により連結されている。
(６)は、ベース脚(３)と支柱(４)間の後面を覆う後面板である。
両ベース脚(３)の上面には、ベース棚板(７)が載設されている。
【００１７】
両支柱(４)の前面に上下に一定間隔おきに列設された左右２列の係合孔(８)の一方の列（例えば外方）には、前方を向く上下複数のブラケット(９)の後端の係止爪(9a)が、着脱可能に係止され、左右に対向する各ブラケット(９)の内向き水平片(9b)上には、前後寸法が上記ベース棚板(７)よりも短寸の棚板(10)が取付けられている。
【００１８】
ベース棚板(７)と、その上方の棚板(10)との間の両支柱(４)の前面には、ベース棚板(７)の前後寸法よりも短寸の矩形断面をなす１対の支持杆(11)(11)が、その後端に溶接により固着された、縦長の左右２枚の板状ブラケット(12)(12)の後端の係止爪(12a)を、支柱(４)の前面の左右２列の係合孔(８)に係止することにより、前方に向かって互いに平行かつ上下位置調節可能に取付けられている。
【００１９】
両支持杆(11)の対向面には、後記する塞ぎ板(16)を、前後方向に移動可能に支持して案内する左右１対の水平のガイドレール(13)(13)が固着されている。
【００２０】
両ガイドレール(13)は、図３にも示すように（左右対称につき、左方のもののみ図示する）、外端縁に、支持杆(11)の内側面に溶接可能な下向きの取付片(13a)を有する幅広の下部水平片(13b)と、その内端縁より起立する垂直片(13c)と、垂直片(13c)の上端縁より外向きに折曲された、下部水平片(13b)よりも小幅の上部水平片(13d)と、垂直片(13c)の前後両端に外向きに折曲されたストッパ片(13e)(13e)とを備え、取付片(13a)を除いた断面形状は、正面視ほぼ外向きコ字状をなしている。
【００２１】
上部水平片(13d)の前端部には、前後寸法の小さな切欠き(14)が、また後端部には、前後寸法の大きな切欠き(15)が、それぞれ形成されて、上下に開口されている。
(16)は塞ぎ板で、ベース棚板(７)と、その上方の最下段の棚板(10)との間の前端部の開口面をほぼ塞ぎうる前後寸法を有するとともに、左右寸法は、ベース棚板(７)のそれとほぼ等しい寸法とされている。
【００２２】
塞ぎ板(16)の後端部における左右両側部の下面には、正面視倒立Ｌ字状の１対の支持ブラケット(17)(17)の内向水平片(17a)が、垂直片(17b)がガイドレール(13)の上部水平片(13d)及び前後のストッパ片(13e)の外端縁よりも外方に位置するようにして、ねじ(18)により固定されている。
【００２３】
両支持ブラケット(17)の垂直片(17b)の内面には、上記ガイドレール(13)における下部水平片(13b)と上部水平片(13d)との間に挿入されて、左右方向を向く軸回りに前後方向に転動可能な前後１対のローラ(19)(19)が、対向状に枢着されている。
【００２４】
ローラ(19)の直径は、ガイドレール(13)の上部水平片(13d)に形成された前側の切欠き(14)を挿通しうる寸法とされ、また、前後のローラ(19)の前端と後端間の離間寸法は、後側の切欠き(15)を通して上下の水平片(13b)(13d)間に挿脱しうるとともに、前側のローラ(19)が前方のストッパ片(13e)と当接したとき、後側のローラ(19)が、前側の切欠き(14)を挿通しうる寸法とされている。
【００２５】
ガイドレール(13)の垂直片(13c)の後部には、塞ぎ板(16)の下面に固定可能な固定片（図示略）の下端をねじ止めすることにより、塞ぎ板(16)の前後移動を阻止し、後限位置で停止させておくためのめねじ孔(20)が穿設されている。
【００２６】
上記実施形態において、塞ぎ板(16)がガイドレール(13)の後限位置、すなわち前後のローラ(19)が、切欠き(15)の直前の上部水平片(13d)の下方に位置している状態で、塞ぎ板(16)を前方に引き出すと、図４に示すように、塞ぎ板(16)は、前側のローラ(19)がガイドレール(13)の前方のストッパ片(13e)と当接するまで、ほぼ水平状態で引き出される。
【００２７】
この状態で塞ぎ板(16)を押し下げると、後側のローラ(19)が、前方の切欠き(14)を挿通しながら、前側のローラ(19)を中心として上向きに回動するため、塞ぎ板(16)を下向きに回動させることができる。
【００２８】
下向きに回動させた塞ぎ板(16)の下端部後面を、ベース棚板(７)の前端と当接させることより、塞ぎ板(16)は後傾した状態で停止され、図１に示すように、ベース棚板(７)と、その上方の棚板(10)との間の前端開口面がほぼ閉塞されることにより、塞ぎ板(16)の後方には、商品等を保管可能な大きな収納空間が形成される。
【００２９】
また、塞ぎ板(16)を後傾させることにより、その前面を、商品名等を表示する宣伝パネル面としても利用することができ、表示面が見易くなる。
なお、図１及び図２の２点鎖線で示すように、例えばベース脚(３)と最下段の棚板(10)の外側面に、カバー板(21)の上下の端部を取付け、収納空間の左右の開口面を塞ぐようにしてもよい。
収納空間が不要なときには、塞ぎ板(16)を水平として、ガイドレール(13)の後限位置まで移動させ、上述したように、めねじ孔(20)を利用して、塞ぎ板(16)の前後移動を阻止することができる。
【００３０】
以上説明したように、上記実施形態の商品陳列棚(１)においては、通常の陳列棚に、複数の部材を追加して取付けるだけで、上下の棚板間に大きな収納空間を簡単に形成することができるので、従来のように、専用の商品保管箱を製作したり、それが出し入れ可能な専用の陳列棚とする必要がなく、製造コストが大幅に低減される。
【００３１】
また、塞ぎ板(16)を支持して案内するガイドレール(13)は、支柱(４)の係合孔(８)に係止された支持杆(11)に取付けられているため、それらの上下位置を単独で調節することができる。
【００３２】
しかも、上記実施形態では、ベース棚板(７)と最下段の棚板(10)との間に、収納空間を形成するようにしているが、上方の上下の棚板(10)間に位置する支柱(４)の前面に支持杆(11)を取付け、その対向面に固定したガイドレール(13)により塞ぎ板(16)を支持すれば、収納空間を上方の上下の棚板(10)間に形成することもできる。
【００３３】
塞ぎ板(16)は、その不使用状態において、前後１対のローラ(19)により水平状態に支持されているため、それを棚板代わりとして、商品を載置することもできる。
【００３４】
なお、上記実施形態では、塞ぎ板(16)をガイドレール(13)に沿って、前後に移動させるのに、前後１対のローラ(19)を用いているが、その代わりに、例えば摩擦抵抗の小さな硬質合成樹脂等よりなる１対の摺動部材を用いてもよい。
【００３５】
この際、前側の摺動部材は、左右方向を向く枢軸等に回動可能に取付ければよい。
【００３６】
ガイドレール(13)の後方のストッパ片(13e)を省略し、塞ぎ板(16)の後端を支柱(４)の前面に当接させるようにしてもよい。
前方のストッパ片(13e)をねじ等により取付け可能とし、前後のローラ(19)をガイドレール(13)に前方より嵌合したのち、ストッパ片(13e)を取付けるようにしてもよい。このようにすれば、ガイドレール(13)の後側の切欠き(15)は不要となる。
【００３７】
【発明の効果】
請求項１記載の発明によれば、通常の商品陳列棚等の什器の構造を大幅に変更することなく、上下に隣接する棚板間に、商品保管用等の収納空間を容易に形成しうるため、従来のような商品保管箱を用いたり、それ専用の陳列棚を製作する必要はなく、大幅なコスト低減が可能となる。
また、収納空間が不要なときには、塞ぎ板は上下の棚板間に水平状態で収容されるため、それを棚板代わりとして商品を載置することもでき、商品の陳列量を増やすことができる。
さらに、ガイドレール及びそれに支持された塞ぎ板は、独立して支柱に着脱可能に取付けてあるため、棚板や塞ぎ板の上下位置を別々に調節することができるとともに、塞ぎ板を、上下に隣接する任意の棚板間に設けることができる。
【００３８】
請求項２記載の発明によれば、ガイドレールの強度が大となるとともに、その高さの調節も容易であり、かつガイドレールが外側方より見えないので体裁がよくなる。
【００３９】
請求項３記載の発明によれば、塞ぎ板の下面に設けた支持部材を、切欠きを通して、上方よりガイドレールのコ字状内に嵌合したり、取外したりしうるので、塞ぎ板の交換等を容易に行いうる。
【００４０】
請求項４記載の発明によれば、塞ぎ板の前後移動が軽快となる。
【００４１】
請求項５記載の発明によれば、後傾させた塞ぎ板の前面を、商品名等を表示する宣伝用パネル面として使用することができ、かつその際に、表示面が見易くなる。
【００４２】
請求項６記載の発明によれば、塞ぎ板により形成された収納空間の左右両側の開口面が、カバー板により閉塞されるので、収納空間内の物品が外部より露見されることはなく、体裁が向上する。
【図面の簡単な説明】
【図１】本発明を適用した商品陳列棚の側面図である。
【図２】図１のII−II線の拡大縦断正面図である。
【図３】ガイドレールと、塞ぎ板の下面に取付けられるローラとの分解斜視図である。
【図４】塞ぎ板を下向き回動したときの図２におけるIＶ−IＶ線の縦断側面図である。
【符号の説明】
(１)商品陳列棚
(２)アジャスタ
(３)ベース脚
(４)支柱
(５)横連結杆
(６)後面板
(７)ベース棚板
(８)係合孔
(９)ブラケット
(9a)係止爪
(9b)内向き水平片
(10)棚板
(11)支持杆
(12)板状ブラケット
(12a)係止爪
(13)ガイドレール
(13a)取付片
(13b)下部水平片
(13c)垂直片
(13d)上部水平片
(13e)ストッパ片
(14)(15)切欠き
(16)塞ぎ板
(17)支持ブラケット
(17a)内向水平片
(17b)垂直片
(18)ねじ
(19)ローラ（支持部材）
(20)めねじ孔
(21)カバー板
【図１】
2004202138.tif 000003
【図２】
2004202138.tif 000004
【図３】
2004202138.tif 000005
【図４】
2004202138.tif 000006